(57)【要約】【課題】外部要因などの変化に応じた、販売促進に寄与できる適切な広告内容の広告印刷物を簡易に作成できる広告印刷物作成システムを提供する。【解決手段】本発明の広告印刷物作成システムは、変化した要因情報を取り込む要因情報取込手段と、取り込まれた要因情報に応じて推奨する、広告対象物情報を含む印刷内容の種類候補を、１又は複数種類決定する推奨印刷内容決定手段と、決定された印刷内容の種類候補における広告対象物に関する販売数や在庫数などの販売可能数量に基づいて、印刷内容の種類候補から印刷内容の種類を決定する印刷内容種類決定手段と、決定された印刷内容の種類の印刷画像を、予め用意されているその種類の印刷画像の素材情報に基づいて生成する印刷画像生成手段と、生成された印刷画像を印刷する印刷手段とを有する。【選択図】      図１
2005010482.tif 000002
【特許請求の範囲】
【請求項１】
変化した要因情報を取り込む要因情報取込手段と、
取り込まれた要因情報に応じて推奨する、広告対象物情報を含む印刷内容の種類候補を、１又は複数種類決定する推奨印刷内容決定手段と、
決定された印刷内容の種類候補における広告対象物に関する販売数や在庫数などの販売可能数量に基づいて、印刷内容の種類候補から印刷内容の種類を決定する印刷内容種類決定手段と、
決定された印刷内容の種類の印刷画像を、予め用意されているその種類の印刷画像の素材情報に基づいて生成する印刷画像生成手段と、
生成された印刷画像を印刷する印刷手段とを有することを特徴とする広告印刷物作成システム。
【請求項２】
上記要因情報取込手段が、外部から転送された要因情報を取り込むものであるであることを特徴とする請求項１に記載の広告印刷物作成システム。
【請求項３】
上記要因情報取込手段が、オペレータによって入力された要因情報を取り込むものであるであることを特徴とする請求項１に記載の広告印刷物作成システム。
【請求項４】
上記推奨印刷内容決定手段が、予め用意されているマッチング条件と印刷内容種類との組でなるマッチングルールと、取り込まれた要因情報との照合により、推奨する印刷内容の種類候補を決定することを特徴とする請求項１〜３のいずれかに記載の広告印刷物作成システム。
【請求項５】
上記印刷内容種類決定手段が、推奨された印刷内容の種類候補における広告対象物に関する販売数や在庫数などの販売可能数量を含む印刷内容の種類候補の情報をオペレータに提示し、オペレータによる選択操作情報を取り込んで、その選択された印刷内容の種類を、印刷する印刷内容の種類と決定することを特徴とする請求項１〜４のいずれかに記載の広告印刷物作成システム。
【請求項６】
通信網を介して接続可能な第１〜第３の装置を備え、
上記第１の装置が上記要因情報取込手段及び上記印刷内容種類決定手段を有し、上記第２の装置が上記推奨印刷内容決定手段及び上記印刷画像生成手段を有し、上記第３の装置が上記印刷手段を有することを特徴とする請求項１〜５のいずれかに記載の広告印刷物作成システム。
【請求項７】
上記要因情報取込手段が取り込む要因情報の種類が、少なくとも、気象情報、行事情報、及び、商品売価若しくはサービス提供額の変更情報であることを特徴とする請求項１〜５のいずれかに記載の広告印刷物作成システム。
【発明の詳細な説明】
【０００１】
【発明の属する技術分野】
本発明は広告印刷物作成システムに関し、例えば、時々刻々と変化する外部要因に対応した、コンビニエンスストアやスーパーマーケットなどでの広告印刷物を作成しようとしたものである。
【０００２】
【従来の技術】
時々刻々と変化する外部要因に応じて、サービス内容や処理内容を変更するシステムや方法として、各種のものが提案されている。
【０００３】
特許文献１には、気象情報などを外部要因として、インターネットなどを介してユーザ端末に提供する商品案内ページを変更するシステム及び方法が開示されている。
【０００４】
また、特許文献２には、気象情報などを外部要因として、商品の仕入れ情報を生成するシステム及び方法が開示されている。
【０００５】
【特許文献１】特開２００３−９１６７４号公報
【０００６】
【特許文献２】特開平１１−３２８２６２号公報
【０００７】
【発明が解決しようとする課題】
しかしながら、特許文献１の開示方法では、商品案内ページをユーザ端末に提供しており、販売位置とユーザ端末位置が離れているため、時々刻々と変化する気象情報で変化している商品案内ページを提供しても、販売促進に寄与する度合は小さい。
【０００８】
また、特許文献２の開示方法では、気象情報などに応じ、商品の仕入れ情報を生成している。これは、気象情報などに応じた所定商品の販売数を予測していることになるが、その予測通りの販売数を実現できるとは限らないだけでなく、特許文献１の開示方法と同様に、販売促進には寄与しない。
【０００９】
一方、販売促進には店舗に直接張り出す広告印刷物が効果がある。現状、店舗におけるパソコンなどにＰＯＰ（Ｐｏｉｎｔ  Ｏｆ  Ｐｕｒｃｈａｓｅ  ａｄｖｅｒｔｉｓｉｎｇ）用のソフトウェアを組み込んだ簡易印刷システムが設けられている。
【００１０】
しかしながら、このような簡易印刷システムでは、店舗関係者が広告印刷物を作成する操作をしなければならず、１種類の広告を作成するにもかなりの時間を要する。そのため、外部要因が変化するごとに、簡易印刷システムを用いた広告印刷物を作成することはほとんど行われず、簡易印刷システムが存在していても、事前に決められている商品やサービスの販売促進にしか活用されない。又は、外部要因が変化すると、手書きの広告を作成して販売を促進させようとするが、手書き広告による文字の読み違い（例えば商品価格の「１」と「７」の読み間違い）などにより、かえって悪い印象を購買者に与える恐れもある。
【００１１】
また、上述のような簡易印刷システムでは、広告印刷物に掲載する広告内容は、店舗関係者が判断しており、外部要因の変化を読み違えて適切でない広告内容となる恐れもある。さらに、店舗関係者の通常の作業では気付かない、外部要因の変化に応じた広告内容とすることは困難である。また、判断時に在庫数などを考慮し忘れ、広告印刷物を提示しても、すぐに売り切れとなり、購買者の信用を落とす恐れもある。
【００１２】
また、ＰＯＰ用のソフトウェアやデータを契約元に提供するアプリケーションサービスプロバイダも存在する。この際の提供内容は、事前の計画のもので作成されており、時々刻々と変化する外部要因に応じたものとは、必ずしもなっていない。
【００１３】
本発明は、以上の点を考慮してなされたものであり、外部要因の変化に応じた、販売促進に寄与できる適切な広告内容の広告印刷物を簡易に作成できる広告印刷物作成システムを提供しようとしたものである。
【００１４】
【課題を解決するための手段】
本発明の広告印刷物作成システムは、（１）変化した要因情報を取り込む要因情報取込手段と、（２）取り込まれた要因情報に応じて推奨する、広告対象物情報を含む印刷内容の種類候補を、１又は複数種類決定する推奨印刷内容決定手段と、（３）決定された印刷内容の種類候補における広告対象物に関する販売数や在庫数などの販売可能数量に基づいて、印刷内容の種類候補から印刷内容の種類を決定する印刷内容種類決定手段と、（４）決定された印刷内容の種類の印刷画像を、予め用意されているその種類の印刷画像の素材情報に基づいて生成する印刷画像生成手段と、（５）生成された印刷画像を印刷する印刷手段とを有することを特徴とする。
【００１５】
【発明の実施の形態】
（Ａ）実施形態
以下、本発明による広告印刷物作成システムの一実施形態を図面を参照しながら説明する。
【００１６】
（Ａ−１）実施形態の構成
この実施形態の広告印刷物作成システム１は、図１に示すように、気象データ提供サーバ２、ストア本部サーバ３、ストアコンピュータ（ストコン）４、プリンタデバイス５及び広告内容提供サーバ６を有し、これら各要素２〜６がインターネットなどの通信網７を介して接続されている。
【００１７】
なお、図１では、通信網との接続機能を有する全ての要素２〜６が同一の通信網７を介して接続し得るように示しているが、この実施形態の場合には、２要素間の接続に係る通信網は、その２要素間の組合せによって異なるものであっても良い。
【００１８】
また、図１においては、各要素２〜６を１個ずつ示しているが、複数存在しても良く、ストコン４及びプリンタデバイス５などは、店舗ごとに存在することを前提としている。
【００１９】
気象データ提供サーバ２は、例えば、気象データの提供会社に係るサーバであり、提供契約を締結しているストア運営会社のストア本部サーバ３に対し、その契約内容に基づいて、自動的に気象データを提供するものである。例えば、契約では、提供する地域情報や提供する時間帯（例えば、午前８時から午後８時）や提供する周期（例えば、２時間毎）などが規定される。
【００２０】
ストア本部サーバ３は、複数の店舗（例えば、コンビニエンスストアやスーパーマーケット）を運営するストア運営会社の本部に設置されているものである。ストア本部サーバ３は、各店舗のデータを統合管理するものであるが、この実施形態の特徴から言えば、提供された気象データを、店舗別（地域別）に振り分けて、各店舗のストコン４に配信する機能を担っている。
【００２１】
ストコン４は、プリンタデバイス５と共に、各店舗に設置されているものであり、主たる機能は、店舗における販売情報や在庫情報などの管理機能である。ストコン４は、この実施形態の特徴から言えば、広告内容提供サーバ６と連動して、広告印刷物に印刷する内容データ（ＰＯＰデータ）の作成機能を担っている。ストコン４は、例えば、気象データの受信や、店舗従業員のキー入力などをトリガとして、ＰＯＰデータの作成機能を起動する。なお、図示は省略しているが、ストコン４には、ＰＯＳ（Ｐｏｉｎｔ  Ｏｆ  Ｓａｌｅｓ）端末も接続されている。
【００２２】
プリンタデバイス５は、例えば、プリンタもしくはプリント機能を有する機器（複合機、ＦＡＸ、複写機など）や、そのプリンタもしくはプリント機能を有する機器を制御するプリンタコントローラ（例えばＭＭＫ端末）が該当するものである。プリンタデバイス５は、広告内容提供サーバ６に格納されているその店舗に係るＰＯＰデータを取り出して印刷するものである。プリンタデバイス５は、店舗のバックヤードなどに設置されている店舗従業員だけが操作できるものであっても良く、店舗の販売空間に設置されているユーザなども操作できるものであっても良い。
【００２３】
広告内容提供サーバ６は、遠隔のプリンタデバイス５に、印刷広告物のコンテンツ（ＰＯＰデータ）を提供する一種のコンテンツ提供サーバとして機能するものである。この実施形態の広告内容提供サーバ６は、当初より内容が完全に定まっているＰＯＰデータを提供するものではなく、コンテンツ（ＰＯＰデータ）内容をほぼ規定する素材データなどを有し、ストコン４との各種データの授受により、印刷する最終的なＰＯＰデータを作成するものである。なお、広告内容提供サーバ６は、当該広告内容提供会社及びストア運営会社の締結契約の内容に応じ、適宜、ＰＯＰデータの提供ジャーナルを取得したり、課金したりなどの管理機能も実行する。
【００２４】
気象データ提供サーバ２は、図２に示すように、全体を制御する制御部２ａ、情報出力装置２ｂ、情報入力装置２ｃ、データベース２ｄ、上記通信網７と接続される情報通信部２ｅなどを有する。
【００２５】
制御部２ａは、例えば、ＣＰＵ、ＲＯＭ、ＲＡＭやＣＰＵが実行するソフトウェアなどが該当し、情報入力装置２ｃから入力された原気象データ（例えば気象庁が提供している）を解析して地域別の気象データ（所定時間後の予測データであることが好ましい；現在時刻の実気象データであっても良い）を作成したり、作成した気象データを送信制御したりするものである。
【００２６】
情報出力装置２ｂは、例えば、プリンタやディスプレイや外部記憶装置のアクセス部などが該当し、データベース２ｄの格納情報などを保守作業者等に出力するものである。
【００２７】
情報入力装置２ｃは、例えば、キーボード、マウス、ＯＣＲ、外部記憶装置のアクセス部などが該当し、データベース２ｄへの格納情報や、解析に供する原気象データなどを入力するものである。
【００２８】
データベース２ｄは、例えば、外部記憶装置が該当し、作成された気象データや、気象データを送信するストア本部サーバ３との契約内容や、送信ジャーナルなどを格納しているものである。
【００２９】
情報通信部２ｅは、例えば、通信ボードや通信ソフトウェアなどが該当し、作成された気象データを通信網７を介してストア本部サーバ３に送信するものである。なお、契約内容によっては、各店舗のストコン４に直接配信するようにしても良い。
【００３０】
ストア本部サーバ３は、図３に示すように、全体を制御する制御部３ａ、情報出力装置３ｂ、情報入力装置３ｃ、データベース３ｄ、上記通信網７と接続される情報通信部３ｅなどを有する。
【００３１】
制御部３ａは、例えば、ＣＰＵ、ＲＯＭ、ＲＡＭやＣＰＵが実行するソフトウェアなどが該当し、販売や在庫管理などを実行するだけでなく、情報通信部３ｅによって気象データを受信したときに、データベース３ｄに格納されている地域情報や営業時間情報などに基づいて規定される、気象データを必要としている該当店舗のストコン４に、情報通信部３ｅを介して、その店舗に合致する気象データを配信したりなどするものである。
【００３２】
情報出力装置３ｂは、例えば、プリンタやディスプレイや外部記憶装置のアクセス部などが該当し、データベース３ｄの格納情報などを保守作業者等に出力するものである。
【００３３】
情報入力装置３ｃは、例えば、キーボード、マウス、ＯＣＲ、外部記憶装置のアクセス部などが該当し、データベース３ｄへの格納情報などを入力するものである。
【００３４】
データベース３ｄは、種々の情報を記憶するものである。この情報としては、各店舗（ストコン４）に係る店舗データ３ｄ１や、商品データ３ｄ２などのデータだけでなく、後述するＰＯＰ素材（データ）３ｄ３やマッチングルール３ｄ４も含まれている。これら店舗データ３ｄ１、商品データ３ｄ２、ＰＯＰ素材（データ）３ｄ３及びマッチングルール３ｄ４は、広告内容提供サーバ６に転送されて利用される。ストア本部サーバ３に格納されているものは、バックアップデータとして機能すると共に、取扱い商品の変更などに応じて、更新可能なために保持されている。例えば、これらデータ３ｄ１〜３ｄ４の更新時には、広告内容提供サーバ６に転送される。
【００３５】
情報通信部３ｅは、例えば、通信ボードや通信ソフトウェアなどが該当し、気象データ提供サーバ２から通信網７を介して供給される気象データを受信したり、各店舗への気象データを通信網７を介してストコン４に送信したりなどするものである。
【００３６】
ストコン４は、図４に示すように、全体を制御する制御部４ａ、情報出力装置４ｂ、情報入力装置４ｃ、データベース４ｄ、上記通信網７などと接続される情報通信部４ｅなどを有する。
【００３７】
制御部４ａは、例えば、ＣＰＵ、ＲＯＭ、ＲＡＭやＣＰＵが実行するソフトウェアなどが該当し、当該店舗の販売数や在庫量の管理などのストコン４としての一般的な制御に加え、受信した気象データやその直前の気象データなどを所定間隔で広告内容提供サーバ６に送信制御したり、広告内容提供サーバ６から与えられたＰＯＰリストやそのＰＯＰリストに係る商品データを表示制御したり、印刷希望のＰＯＰデータを店舗従業員に選択させて広告内容提供サーバ６に送信させたりするものである。すなわち、制御部４ａは、気象データの受信送信機能４ａ１や、ＰＯＰデータの選択機能４ａ２を担っている。
【００３８】
情報出力装置４ｂは、例えば、プリンタやディスプレイや外部記憶装置のアクセス部などが該当し、データベース４ｄの格納情報などを保守作業者等に出力したり、広告内容提供サーバ６から与えられたＰＯＰリストやそのＰＯＰリストに係る商品データを表示出力したりするものである。
【００３９】
情報入力装置４ｃは、例えば、キーボード、マウス、ＯＣＲ、外部記憶装置のアクセス部などが該当し、データベース４ｄへの格納情報などを入力したり、店舗従業員からのＰＯＰデータの選択情報を取り込んだり、気象データ以外のＰＯＰデータの作成のトリガとなる外部要因データを取り込んだりなど入力するものである。データベース４ｄへの格納情報としての、気象データ以外のＰＯＰデータの作成のトリガとなる外部要因データは、例えば、店周辺の行事データや、売価を変更した商品売価変更データや、テレビ放映された料理番組でのレシピデータなどである。
【００４０】
データベース４ｄは、例えば、外部記憶装置が該当し、種々の情報を記憶するものである。データベース４ｄは、例えば、店在庫データ４ｄ１や、店周辺行事データ４ｄ２や、受信した店周辺気象データ４ｄ３などを格納する。
【００４１】
情報通信部４ｅは、例えば、通信ボードや通信ソフトウェアなどが該当し、ストア本部サーバ３や広告内容提供サーバ６との通信網７を介した通信処理や、店舗内に設置されたプリンタデバイス５やＰＯＳ端末との通信処理を実行するものである。
【００４２】
プリンタデバイス５は、上述したように、例えば、プリンタもしくはプリント機能を有する機器（複合機、ＦＡＸ、複写機など）や、そのプリンタもしくはプリント機能を有する機器を制御するプリンタコントローラが該当するものであり、大きくは、図５に示すように、プリンタ本体１０とプリンタコントローラ部１１とでなる。
【００４３】
プリンタ本体１０には、全体を制御する制御部１０ａが設けられている。制御部１０ａには、自動原稿送り装置（ＡＤＦ）１０ｂ、スキャナ部１０ｃ、プリンタ部１０ｄ、操作パネル１０ｅ、ＨＤＤ１０ｆ、コントローラインターフェース１０ｇが接続されている。
【００４４】
自動原稿送り装置１０ｂ及びスキャナ部１０ｃは、複写機としての一般的なものである。
【００４５】
プリンタ部１０ｄは、スキャナ部１０ｃによる原稿の読取り画像データのプリントを行うだけでなく、プリンタコントローラ部１１から与えられた画像データ（ＰＯＰデータ）のプリントを行うものである。
【００４６】
操作パネル１０ｅは、タッチパネル内蔵の液晶表示部とテンキーなどのハードキーで構成される表示入力部として用いられ、タッチパネルやハードキーにより種々の操作や設定などの指示が入力されると共に、液晶表示部に操作案内やエラー時のエラー内容の案内などが表示されるものである。この実施形態の場合、ＰＯＰデータのプリントを行うための操作や設定（印刷枚数など）などの指示が入力されると共に、液晶表示部にそのための操作案内などが表示されるものである。
【００４７】
ＨＤＤ１０ｆは、印刷に供するデータが格納されるハードディスクで代表される外部記憶装置である。この実施形態の場合、印刷されるＰＯＰデータも適宜記憶される。なお、印刷対象のＰＯＰデータは、圧縮してＨＤＤ１０ｆに記憶され、又は、当初より圧縮したものであってそのままＨＤＤ１０ｆに記憶され、読出し時にこの圧縮画像データを伸張して印刷させるものであっても良い。
【００４８】
コントローラインターフェース１０ｇは、ＳＣＳＩバス（他のプロトコルなどに従う通信バスでも良い）を介してプリンタコントローラ部１１と接続され、印刷対象のＰＯＰデータの授受を行うものである。
【００４９】
プリンタコントローラ部１１は、分散処理サーバとして用いられるものであり、図５に示すように、全体を制御する制御部１１ａを有する。この制御部１１ａには、通信網７と接続されるネットワークインターフェース１１ｂ、ＰＯＰデータが適宜格納されるＨＤＤ（他の記憶装置でも良い）１１ｃ、収容している１又は複数のプリンタデバイス本体１０とのＳＣＳＩバスを介した通信インタフェースを行うプリンタインターフェース１１ｄ、操作表示部１１ｅが接続されている。
【００５０】
広告内容提供サーバ６は、図６に示すように、全体を制御する制御部６ａ、管理用メモリ６ｂ、通信網７と接続される情報通信部６ｃ、データベース６ｄなどを有する。
【００５１】
制御部６ａは、例えば、ＣＰＵ、ＲＯＭ、ＲＡＭやＣＰＵが実行するソフトウェアなどが該当し、ＰＯＰデータの作成を要求した店舗の認証制御機能６ａ１や、適するＰＯＰデータを照合で得るためのマッチング機能６ａ２や、店舗従業員に作成するＰＯＰデータを選択、確認させるためのＰＯＰリストの作成機能６ａ３や、ＰＯＰデータの作成機能６ａ４や、ＰＯＰデータの送信制御機能６ａ５などを担っている。
【００５２】
管理用メモリ６ｂは、例えば、ＥＥＰＲＯＭなどの不揮発性メモリが該当し、作成したＰＯＰデータとそのＰＯＰデータの印刷識別番号（ＰＩＤ）との対応情報や、作成したＰＯＰデータの生成ＰＯＰデータベース６ｄ５における登録場所情報などを管理、記憶しているものである。
【００５３】
情報通信部６ｃは、例えば、通信ボードや通信ソフトウェアなどが該当し、ストア本部サーバ３や広告内容提供サーバ６との通信網７を介した通信処理を実行するものである。
【００５４】
データベース６ｄは、例えば、外部記憶装置が該当し、種々の情報を記憶するものである。データベース６ｄは、ストア本部サーバ３と同様な、店舗データ６ｄ１、商品データ６ｄ２、ＰＯＰ素材（データ）６ｄ３及びマッチングルール６ｄ４に加え、生成されたＰＯＰデータ６ｄ５も格納する。
【００５５】
（Ａ−２）実施形態の動作
次に、以上のような構成を有する広告印刷物作成システム１の動作を図面を参照しながら説明する。
【００５６】
（Ａ−２−１）気象データに基づいた広告印刷物作成動作
まず、気象データに基づいた広告印刷物の作成動作を説明する。ここで、図７が、この際のシーケンス図である。
【００５７】
図７では省略しているが、気象データ提供サーバ２は、ストア運営会社との契約内容に応じて、例えば、定期的に地域別の気象データをストア本部サーバ３に送信し、ストア本部サーバ３は、内部管理している店舗データ３ｄ１に基づき、各店舗のストコン４に対し、その地域の気象データを送信する（Ｓ１）。
【００５８】
ストコン４においては、受信した気象データを、店周辺気象データベース４ｄ３に格納すると共に、気象データの受信時に、又は、一定間隔で定まっている所定時刻に、広告内容提供サーバ６に対し、以下の情報を含む気象対応ＰＯＰ作成要求Ｄ１を送信する（Ｓ２）。
【００５９】
気象対応ＰＯＰ作成要求Ｄ１には、例えば、店舗ＩＤ（パスワードなどを含んでいても良い）、最新の気象予測情報（気温、湿度、天気、降水確率、花粉飛散量（以下、花粉量と呼ぶ））、及び、前回の気象予測情報（気温、湿度、天気、降水確率、花粉量）を含んでいる。気象データ提供サーバ２との契約内容にもよるが、前回の気象予測情報ではなく、最新の気象予測情報の予測時刻から所定時間だけ前の実際の気象情報を気象データ提供サーバ２から得て、気象対応ＰＯＰ作成要求Ｄ１に含めるようにしても良い。
【００６０】
気象対応ＰＯＰ作成要求Ｄ１を受信した広告内容提供サーバ６は、当該要求が正当な店舗（ストコン４）からのものであるかを、店舗データベース６ｄ１の格納データとの照合により認証する（Ｓ３）。図７では省略しているが、認証失敗の場合には、その旨が広告内容提供サーバ６から要求を送信したストコン４に返信される。
【００６１】
認証に成功したときには、広告内容提供サーバ６は、マッチングルールデータベース６ｄ４との照合により、気象対応ＰＯＰ作成要求Ｄ１に含まれている気象情報にマッチしている推奨するＰＯＰ種類（ＰＯＰ  ＩＤで区別される）を認識する（Ｓ４）。
【００６２】
図８は、マッチングルールの説明図であり、気象対応のＰＯＰ作成用のものを示している。マッチングルールは、例えば、ルールを区別する通し番号と、マッチング条件と、条件に合致した場合における推奨ＰＯＰ種類（ＰＯＰ  ＩＤ）でなる。
【００６３】
図８のマッチング条件の例は、最新の気温、湿度、天気、降水確率及び花粉量と、前回の天気との組み合わせになっている。図８における「ａｌｌ」は、いずれの値でも良いことを表している。前回の天気をパラメータとしているのは、例えば、「雨」から「雨」への変化と、「晴れ」から「雨」への変化では、販売数が増大する販売商品が異なることなどを考慮したためである。気温、湿度、降水確率及び花粉量などに対しても、前回のものをマッチング条件のパラメータとするようにしても良い。また、各パラメータについての差分をマッチング条件に含めるようにしても良く、各パラメータについての差分を重み付け合成した差分評価値をマッチング条件とに含めるようにしても良い。気温、湿度、降水確率及び花粉量は、マッチング条件では、通常、範囲で指定される。
【００６４】
推奨ＰＯＰ種類は、図８では、１種類のみ示しているが、２種類以上規定されていても良い。
【００６５】
図７では省略しているが、気象情報にマッチしているＰＯＰ種類が定まらない場合には、その旨が広告内容提供サーバ６から要求を送信したストコン４に返信される。
【００６６】
気象情報にマッチしているＰＯＰ種類（ＰＯＰ  ＩＤ）が定まると、広告内容提供サーバ６は、ＰＯＰ素材データベース６ｄ３のそのＰＯＰ種類についての格納内容に基づいて、ＰＯＰリスト（ＰＯＰデータの候補リスト）を作成すると共に、そのＰＯＰリストに係る商品データを、商品データベース（ＰＯＰ対象商品データベース）６ｄ２から抽出し、作成したＰＯＰリストと商品データとを含む作成候補情報Ｄ２を、気象対応ＰＯＰ作成要求Ｄ１を送信したストコン４に返信する（Ｓ５）。
【００６７】
図９は、ＰＯＰ素材データベース６ｄ３の構成例を示し、図１０は、商品データベース（ＰＯＰ対象商品データベース）６ｄ２の構成例を示している。
【００６８】
ＰＯＰ素材データベース６ｄ３の１レコードは、例えば、ＰＯＰ種類の識別子であるＰＯＰ  ＩＤと、棚札用や棚列の端部（エンド）用などを規定するＰＯＰ用途種類と、そのＰＯＰ種類のＰＯＰデータ本体（なお、レコードにはファイル名だけを格納し、ファイルデータ本体はＰＯＰ素材データベース６ｄ３内に別個のエリアに格納していても良い）と、候補見本としてのＰＯＰサムネイル（なお、レコードにはサムネイル名だけを格納し、サムネイルデータ本体はＰＯＰ素材データベース６ｄ３内の別個のエリアに格納していても良い）と、ＰＯＰコピーと、ＰＯＰに掲載する所定数以下の対象商品コード（例えばＪＡＮコード）との情報でなる。
【００６９】
商品データベース６ｄ２の１レコードは、例えば、ＰＯＰ  ＩＤと、２種類の商品コード（例えばＪＡＮコード及び自社コード）と、商品名との情報でなる。なお、売価の情報を含んでいても良い。
【００７０】
なお、ＰＯＰ素材データベース６ｄ３から対象商品コード（ＪＡＮコード）の情報を省略しても良く、また、商品データベース６ｄ２からＰＯＰ  ＩＤの情報を省略しても良く、いずれを省略しても、必要とする情報を取り出すことができる。また、ＰＯＰデータやＰＯＰサムネイルに商品名を重ね書きする位置の情報も、ＰＯＰデータやＰＯＰサムネイル自体に含まれている。
【００７１】
例えば、図８に示すようなＰＯＰ  ＩＤが「Ａ００１」であるＰＯＰ種類が推奨種類となった場合には、図９のＰＯＰ素材データベース６ｄ３の第１行のＰＯＰ素材レコードの情報が取り出され、また、図１０の商品データベース６ｄ２の第１行、第３行、第７行のレコードの情報が取り出され、作成候補情報Ｄ２が形成される。
【００７２】
ストコン４に返信される作成候補情報Ｄ２には、例えば、推奨ＰＯＰ種類に関する、ＰＯＰ  ＩＤ、ＰＯＰ用途種類、ＰＯＰサムネイル、ＰＯＰコピー、対象商品コード（ＪＡＮコード）及び商品名が含まれる。
【００７３】
ストコン４は、作成候補情報Ｄ２を受信すると、作成候補情報Ｄ２の対象商品コードに係る在庫数（や売価）を店在庫データベース４ｄ１から取出し、作成候補情報Ｄ２による推奨するＰＯＰデータのリストと在庫数とを含む選択用画面を形成して表示させると共に（Ｓ７）、収容しているＰＯＳ端末（図示せず）から、ＰＯＰデータの選択用画面Ｐ１を表示させたことの通知（例えば、所定音響の鳴動）を行う（Ｓ８）。ここでの在庫数は、例えば、店頭に並んでいる個数と倉庫に存在する個数の総和である。
【００７４】
店舗従業員は、選択用画面Ｐ１の表示通知に基づき、ストコン４の場所に行き、ＰＯＰデータの選択、印刷依頼操作などを行い、ストコン４は、その操作内容を反映させた印刷依頼情報Ｄ３を広告内容提供サーバ６に送信する（Ｓ９）。
【００７５】
図１１は、ＰＯＰデータの選択用画面Ｐ１の表示例を示す説明図である。選択用画面Ｐ１は、ＰＯＰデータの概要をリスト形式で示すものであり、ＰＯＰコピーや、対象商品の商品名と在庫数の組み合わせや（図１１では紙面の都合上２組を示しているが、図９に対応しているので本来は３組が表示される）、ＰＯＰサムネイルの表示を起動する操作ボタンＰ１ａや、そのＰＯＰデータの印刷を指示する操作ボタン（ラジオボタン）Ｐ１ｂなどを含んでいる。また、ＰＯＰデータの選択用画面Ｐ１は、ＰＯＰデータの概要のリスト部分以外に、「印刷依頼」ボタンＰ１ｃも含んでいる。なお、図１１とは異なり、「ＰＯＰ作成中止」ボタンなどを設け、ＰＯＰ作成の中止を指示できるようにしても良い。
【００７６】
店舗従業員が、いずれかのＰＯＰデータに係るＰＯＰサムネイルの表示用の操作ボタンＰ１ａにカーソルを位置させてクリックすると、そのＰＯＰデータに係るサムネイル（見本用画像）が表示される（後述する図１２は印刷結果を示しているが同様なものが表示される）。サムネイルの表示時には、在庫数の取り出し時に同時に取り出した売価が対象商品名の脇に合成されて表示される。また、表示されたサムネイルには、「戻す」ボタンも合わせて表示され、「戻す」ボタンの操作によって、ＰＯＰデータの選択用画面Ｐ１に表示を戻すことができる。
【００７７】
ＰＯＰデータの印刷を指示する操作ボタン（ラジオボタン）Ｐ１ｂの操作によって、そのＰＯＰデータの印刷を指示することができる。図１１の表示例は、ＰＯＰコピーが「自慢の服が泣く〜」のＰＯＰデータが選択されている場合を示している。なお、印刷を指示するＰＯＰデータの種類数は、システムが１個（又は所定数以下）に限定しても良く、１個以上の選択指示を認めるようにしても良い。
【００７８】
なお、在庫数が所定数（売価によってこの所定数を変更するようにしても良い）以下の商品を含むＰＯＰデータ（の種類）については、ストコン４が、ＰＯＰデータの選択用画面Ｐ１に自動的に含めないようにしても良い。また、在庫数が所定数以下の商品のデータだけを、そのＰＯＰデータの表示行から、ストコン４が、自動的に消去するようにしても良い。
【００７９】
図１１の例とは異なるが、店舗従業員が、広告印刷物に含める商品を、表示商品の中から選択指示できるようにしても良い。
【００８０】
いずれか１以上のＰＯＰデータの印刷を指示する操作ボタン（ラジオボタン）Ｐ１ｂがオン状態で、「印刷依頼」ボタンＰ１ｃが操作されると、ストコン４は、上述したように、印刷依頼情報Ｄ３を広告内容提供サーバ６に送信する。印刷依頼情報Ｄ３には、店舗ＩＤと印刷を実行するＰＯＰ  ＩＤとを最低限含んでいれば良い。但し、広告内容提供サーバ６側で対象商品の売価を取得できないシステムであれば、印刷依頼情報Ｄ３に対象商品の売価を含めることを要する。
【００８１】
なお、作成候補情報Ｄ２の送出後、所定時間を経過しても、印刷依頼情報Ｄ３が返信されなかった場合や、作成候補情報Ｄ２の送出に対し、ストコン４から、印刷処理の中止が指示された場合には、広告内容提供サーバ６は、そのストコン４に係るＰＯＰデータの一連の作成処理を中止する。
【００８２】
広告内容提供サーバ６は、印刷依頼情報Ｄ３を受信すると、ＰＯＰ対象商品データベース６ｄ２やＰＯＰ素材データベース６ｄ３などを参照しつつ、印刷依頼情報Ｄ３で指示された種類の最終的なＰＯＰデータ（印刷内容データ）を生成して（Ｓ１０）、生成完了通知（印刷内容識別子を含む）Ｄ４をストコン４に送信すると共に（Ｓ１１）、生成したＰＯＰデータを印刷内容識別子と一緒に生成ＰＯＰデータベース６ｄ５に登録する（Ｓ１２）。ストコン４がプリンタを装備している場合には、生成したＰＯＰデータそのものをストコン４へ送信するようにしても良い。
【００８３】
なお、広告内容提供サーバ６は、生成ＰＯＰデータベース６ｄ５に生成しようとするものが既に格納されているか否かを確認し、格納されていない場合には、ＰＯＰデータを生成し、格納されている場合には、ＰＯＰデータを生成することなく、生成完了通知Ｄ４を送信するようにしても良い。
【００８４】
生成完了通知Ｄ４を受信したストコン４は、生成完了の旨と印刷内容識別子とを表示する（Ｓ１３）。これにより、店舗従業員は、プリンタデバイス５の設置場所に移動し、プリンタデバイス５に印刷内容識別子などを入力してＰＯＰデータ（広告内容）の印刷を指示し、プリンタデバイス５は、印刷指示情報Ｄ５を広告内容提供サーバ６に送信する（Ｓ１４）。この際、変倍率などの印刷属性を入力するようにしても良い。
【００８５】
広告内容提供サーバ６は、印刷指示情報Ｄ５に含まれている印刷内容識別子に基づき、該当するＰＯＰデータを生成ＰＯＰデータベース６ｄ５から抽出し、ＰＯＰデータＤ６をプリンタデバイス５に返信する（Ｓ１５）。なお、印刷指示情報Ｄ５に変倍率などの印刷属性が挿入されている場合に、広告内容提供サーバ６が、それに応じた画像処理を、抽出後のＰＯＰデータに対して施した後に、プリンタデバイス５に返信するようにしても良い。また、印刷指示情報Ｄ５に含まれている印刷内容識別子に該当するＰＯＰデータが生成ＰＯＰデータベース６ｄ５に登録されていない場合には、図７では省略しているが、その旨がプリンタデバイス５に返信される。
【００８６】
広告内容提供サーバ６は、生成ＰＯＰデータベース６ｄ５から抽出し、ＰＯＰデータＤ６をプリンタデバイス５に返信した際には、そのＰＯＰデータを生成ＰＯＰデータベース６ｄ５から消去する。なお、消去しないで、後での同一の生成要求に迅速に対応できるように格納を継続するようにしても良い。
【００８７】
そして、プリンタデバイス５は、受信したＰＯＰデータを印刷する（Ｓ１６）。なお、この際に、店舗従業員は、印刷枚数や、変倍率などの印刷属性を指示するようにしても良く、この指示に応じて、プリンタデバイス５は、該当する処理を行う。
【００８８】
図１２は、印刷結果（広告印刷物）の一例を示す説明図であり、ＰＯＰ  ＩＤが「Ａ００１」に関するものである。商品名及び売価や、天気の図形要素（雨図形）が、ＰＯＰ素材データ本体に対して、合成されて印刷されている。
【００８９】
（Ａ−２−２）地域行事データに基づいた広告印刷物作成動作
次に、地域行事データに基づいた広告印刷物の作成動作を簡単に説明する。ここで、図１３が、この際の一部動作のシーケンス図であり、上述した気象データに基づいた広告印刷物の作成動作との異なる処理部分を示している。
【００９０】
店舗従業員は、開催される地域行事を認識すると、適宜のタイミングで地域行事データをストコン４に入力する。このとき、ストコン４は、店周辺行事データベース４ｄ２にその入力情報を格納すると共に、入力情報に基づいて、行事対応ＰＯＰ作成要求Ｄ６を作成して、作成した行事対応ＰＯＰ作成要求Ｄ７を広告内容提供サーバ６に送信する（Ｓ２０）。
【００９１】
行事対応ＰＯＰ作成要求Ｄ７には、例えば、店舗ＩＤ、行事項目（小学校運動会、幼稚園学芸会、花火大会、盆踊り、餅つき大会など）、開催地（小学校、幼稚園、公園など）、スケジュール（開始日時、終了日時）、予定参加者数又は予定参加世帯数などの情報が含まれる。
【００９２】
なお、ストコン４は、店舗従業員の入力時に行事対応ＰＯＰ作成要求Ｄ７を送信するのではなく、入力された情報を店周辺行事データベース４ｄ２に格納し、その後、行事項目に応じた所定タイミングを監視し、所定タイミングになると自動的に行事対応ＰＯＰ作成要求Ｄ６を送信するようにしても良い。例えば、行事が小学校運動会であれば、前日の午後１時に自動的に行事対応ＰＯＰ作成要求Ｄ６に送信し、行事が花火大会であれば、当日の午後３時に自動的に行事対応ＰＯＰ作成要求Ｄ６に送信するようにしても良い。また例えば、行事が小学校運動会であれば、前々日の午後１時と前日の午後１時との２回、自動的に行事対応ＰＯＰ作成要求Ｄ６に送信するようにしても良い（前々日であれば、運動会に係る衣類関係のＰＯＰ種類を推奨し、前日であれば、運動会に係る食物関係のＰＯＰ種類を推奨するように使い分けることができる）。
【００９３】
行事対応ＰＯＰ作成要求Ｄ７を受信した広告内容提供サーバ６は、当該要求が正当な店舗（ストコン４）からのものであるかを、店舗データベース６ｄ１の格納データとの照合により認証した後（Ｓ２１）、マッチングルールデータベース６ｄ４との照合により、行事対応ＰＯＰ作成要求Ｄ７に含まれている行事項目情報にマッチしている推奨するＰＯＰ種類を認識する（Ｓ２２）。
【００９４】
気象データに対応するＰＯＰ種類の決定と、行事データに対応するＰＯＰ種類の決定では適用するマッチングルール（マッチング条件）が異なっているだけであり、推奨するＰＯＰ種類を決定した後の処理は、行事データ対応の広告印刷物の作成時も、気象データ対応の広告印刷物の作成時と同様である。
【００９５】
行事データに係るマッチングルール（マッチング条件）は、主として、行事項目（小学校運動会、幼稚園学芸会、花火大会、盆踊り、餅つき大会など）が何であるかというものとなっている。例えば、「運動会」と「幼稚園」との組み合わせと、「運動会」と「中学校」との組み合わせとで、推奨ＰＯＰ種類（ＰＯＰ  ＩＤ）を変更するように、マッチングルール（マッチング条件）を定めておくようにしても良い。
【００９６】
なお、気象データ対応の広告印刷物の作成時における変形例として説明したような、在庫数と所定数との比較により、その商品情報をＰＯＰデータ（広告印刷物）に含めるか否かを決定する場合において、予定参加者数又は予定参加世帯数などに応じて、在庫数と比較する所定数を変更するようにしても良い。
【００９７】
（Ａ−２−３）売価変更データに基づいた広告印刷物作成動作
次に、売価変更データに基づいた広告印刷物の作成動作を簡単に説明する。ここで、図１４が、この際の一部動作のシーケンス図であり、上述した気象データに基づいた広告印刷物の作成動作との異なる処理部分を示している。
【００９８】
店舗従業員は、特売品その他である商品（又は商品群）の売価を変更したときには、適宜のタイミングで売価変更データをストコン４に入力する。この入力は、ＰＯＰデータの作成を意図したものではなく、通常のストコン４に対する商品データの変更データとして入力しても良い。
【００９９】
この入力時に、ストコン４は、店在庫データベース４ｄ１をその売価変更情報に合わせて更新すると共に、入力情報に基づいて、売価変更対応ＰＯＰ作成要求Ｄ８を作成して、作成した売価変更対応ＰＯＰ作成要求Ｄ８を広告内容提供サーバ６に送信する（Ｓ３０）。
【０１００】
売価変更対応ＰＯＰ作成要求Ｄ８には、例えば、店舗ＩＤ、売価変更前価格、売価変更後価格、変更後売価設定期間などの情報が含まれる。売価変更前価格及び又は売価変更後価格に代え、又は、加え、値引き率の情報を含むようにしても良い。
【０１０１】
なお、ストコン４は、店舗従業員の送信指示により売価変更対応ＰＯＰ作成要求Ｄ８を送信するのではなく、売価変更の入力時に自動的に売価変更対応ＰＯＰ作成要求Ｄ８を送信するようにしても良い。
【０１０２】
売価変更対応ＰＯＰ作成要求Ｄ８を受信した広告内容提供サーバ６は、当該要求が正当な店舗（ストコン４）からのものであるかを、店舗データベース６ｄ１の格納データとの照合により認証した後（Ｓ３１）、マッチングルールデータベース６ｄ４との照合により、売価変更対応ＰＯＰ作成要求Ｄ８にマッチしている推奨するＰＯＰ種類を認識する（Ｓ２２）。
【０１０３】
気象データに対応するＰＯＰ種類の決定と、売価変更データに対応するＰＯＰ種類の決定では適用するマッチングルール（マッチング条件）が異なっているだけであり、推奨するＰＯＰ種類を決定した後の処理は、売価変更データ対応の広告印刷物の作成時も、気象データ対応の広告印刷物の作成時と同様である。
【０１０４】
売価変更データに係るマッチングルール（マッチング条件）は、例えば、変更商品（又は商品群）の特売を認識したり、特定の設定期間を認識したりするものである。例えば、「パン類特売」や「化粧品特売」などのＰＯＰ種類を特定できたり、「朝市（午前中）」や「３時〜５時限定特売」などのＰＯＰ種類を特定できたりするようなマッチングルール（マッチング条件）である。ここで、値引き率が、所定率（例えば１０％）より悪い場合には、他の条件を満たしても、マッチングしていないと判断するようにルールを決定していても良く、その所定率の商品のカテゴリによって変更するようにしても良い。
【０１０５】
なお、売価変更対応のＰＯＰ素材データのレコード（図９参照）は、対象商品コードが空欄になっており、売価が変更された商品コードを自動挿入できるようにしたものであることが好ましい。
【０１０６】
（Ａ−３）実施形態の効果
上記実施形態の広告印刷物作成システムによれば、外部要因などの変化に応じた、販売促進に寄与できる適切な広告内容の広告印刷物を簡易に作成することができる。
【０１０７】
気象の変化に関しては、過去の気象との差分に基づいて、広告対象商品を決定しているので、より適切な広告印刷物を作成することができる。例えば、朝から雨が降っている場合には多くの人が傘を持ち歩いているので、傘の広告効果は小さいが、午後から雨が降り出した場合には、傘の広告効果は大きく、このようなことに、上記実施形態は対応することができる。
【０１０８】
また、変化データに基づいて最適なＰＯＰデータを自動的に推奨することにより、従業員はＰＯＰを始めとした店内広告を常に意識する必要がないため、業務の効率化にもつながる。
【０１０９】
さらに、店舗従業員に対して、印刷するＰＯＰデータを選択させるためのパラメータとして、在庫量を表示するようにしたので（又は、ストコン４が在庫量に基づいて自動判断するようにしたので）、適切な広告印刷物を作成することができる。すなわち、広告印刷物を掲示したにも拘わらず、すぐに売り切れ状態となった場合には、購入できないユーザの不満が大きく、却って広告印刷物を掲示したことが悪い影響を与えるが、このようなことを未然に防止することができる。
【０１１０】
さらにまた、ストコン４が装備しているプリンタではなく、店舗の他のプリンタデバイス５で印刷させるようにしたので、視覚的効果を発揮できる広告印刷物を得ることができる。ストコン４が装備しているプリンタは、データ出力に用いられることが多いため、通常は、モノクロ用などの単純なものであり、一方、ユーザのコピーサービスなどを行うプリンタデバイス５は、カラーコピーその他の多機能なものであるので、多様な印刷効果を発揮できるものであり、このようなプリンタデバイス５を印刷装置として利用しているので、視覚的効果を発揮できる広告印刷物を得ることができる。
【０１１１】
（Ｂ）変形実施形態
上記実施形態の説明でも、種々変形実施形態に言及したが、さらに、以下に例示するような変形実施形態を挙げることができる。
【０１１２】
上記実施形態では、広告印刷物が１枚〜数枚だけ印刷されるＰＯＰ用のものであったが、配布を前提とするチラシであっても良い。
【０１１３】
また、上記実施形態では、広告印刷物に掲載される対象が商品であるものを示したが、サービスであっても良い。例えば、運動会の翌日に印刷する広告印刷物に、写真現像サービスを安価にする旨の広告や、店舗内レストランでの安価メニュー項目の広告を含めるようなものであっても良い。特許請求の範囲における「広告対象物」の用語には、このようなサービスも含むものである。安価メニュー項目については、提供数を在庫量と同様に扱って、広告内容に含めるか否かを決定するようにしても良い。
【０１１４】
さらに、上記実施形態では、ＰＯＰ種類を規定するデータの変更（要因）が、気象、地域行事、売価であるものを示したが、他の要因であっても良い。例えば、気象と地域行事との組み合わせ要因であっても良く、結婚式、出産などの周辺住民の個人的な事項であっても良く（周辺の結婚式場や病院から情報を入手する）、テレビでの放映内容などの多くの人が認識する情報であっても良い。多くの人が認識する情報としては、特定歌手のＣＤの発売開始や、料理番組などであっても良い。
【０１１５】
料理番組の場合、テレビ局などはそのホームページでレシピを公開しており、ストア本部サーバ３がそのレシピ情報（例えばＨＴＭＬでなる）を取り込んで、料理名とその材料（商品）とを取り出して、各店舗のストコン４に配信し（又は、本部従業員がストア本部サーバ３に入力操作して配信し、若しくは、店舗従業員がストコン４に入力操作し）、ストコン４が、その情報に基づいて、特定料理対応ＰＯＰ作成要求を広告内容提供サーバ６に送信して、上記と同様にして、広告印刷物を作成させるようにしても良い。
【０１１６】
上記実施形態では、広告内容提供サーバ６が、印刷するＰＯＰデータの候補の送信と、生成されたＰＯＰデータとの送信を別個のタイミングで行うものを示したが、印刷するＰＯＰデータの候補の送信時に、完成又はほぼ完成しているＰＯＰデータ本体も、ストコン４に送信し、候補が選択されたときに、ストコン４が主導権ととって直ちに印刷するようにしても良い（この際、必要ならばデータの合成処理なども行う）。
【０１１７】
上記の変形例もそうであるが、各装置の機能分けは、上記実施形態のものに限定されず、また、システムを構成する装置数や装置の組み合わせも上記実施形態のものに限定されない。
【０１１８】
例えば、ストア本部サーバ３が存在しないシステムであっても良い。また、ストコン４が、広告内容提供サーバ６の機能をも実行するものであっても良い（広告内容提供サーバ６の省略）。すなわち、単独装置として、本発明のシステムが構築されていても良い。
【０１１９】
逆に、上記実施形態で１個の装置が担うと記載した複数の機能の一部を異なる装置が担当するようにしても良い。
【０１２０】
商品を広告印刷物に含めるか否かの在庫数は、実際の在庫数ではなくても良く、広告印刷物を作成する時刻より多少遅れて店舗に到着する個数を含めたものであっても良い。
【０１２１】
上記実施形態においては、ＰＯＰデータの生成完了通知に含まれている印刷内容識別子をプリンタデバイス５に入力して、印刷情報を取り出すものを示したが、これに代え、又は、これに加え、プリンタデバイス５に携帯端末の電話番号やアドレスを入力して印刷情報を取り出せるようにしても良い。その他の認証方法を適用して、印刷情報を取り出せるようにしても良い。ＰＯＰデータの作成要求時に通知した認証情報（例えばパスワード）を入力することを条件としてプリンタデバイス５が印刷情報を取り出すようにしても良い。
【０１２２】
上記実施形態では、印刷情報をプリンタデバイス５が直ちに印刷出力するものを示したが、これに代え、又は、これに加え、ストコン４が有する記録媒体アクセス装置を利用して記録媒体に記録し、その記録媒体をプリンタデバイス５に装填して印刷させるようにしても良い。この場合には、記録媒体を保管している限り、広告内容提供サーバ６との新たな協働動作を行うことなく、必要時に印刷を行うことができる。
【０１２３】
【発明の効果】
以上のように、本発明によれば、外部要因などの変化に応じた、販売促進に寄与できる適切な広告内容の広告印刷物を簡易に作成できる広告印刷物作成システムを実現できる。
【図面の簡単な説明】
【図１】実施形態の広告印刷物作成システムの全体構成を示すブロック図である。
【図２】実施形態の気象データ提供サーバの内部構成を示すブロック図である。
【図３】実施形態のストア本部サーバの内部構成を示すブロック図である。
【図４】実施形態のストコンの内部構成を示すブロック図である。
【図５】実施形態のプリンタデバイスの内部構成を示すブロック図である。
【図６】実施形態の広告内容提供サーバの内部構成を示すブロック図である。
【図７】実施形態の気象データに基づいた広告印刷物の作成動作を示すシーケンス図である。
【図８】実施形態のマッチングルールデータベースの構成説明図である。
【図９】実施形態のＰＯＰ素材データベースの構成説明図である。
【図１０】実施形態のＰＯＰ対象商品データベースの構成説明図である。
【図１１】実施形態のＰＯＰデータの選択用画面を示す説明図である。
【図１２】実施形態の印刷結果を示す説明図である。
【図１３】実施形態の周辺行事データに基づいた広告印刷物の作成動作を示す一部シーケンス図である。
【図１４】実施形態の売価変更データに基づいた広告印刷物の作成動作を示す一部シーケンス図である。
【符号の説明】
１…広告印刷物作成システム、
２…気象データ提供サーバ、
３…ストア本部サーバ、
４…ストアコンピュータ（ストコン）、
５…プリンタデバイス、
６…広告内容提供サーバ、
７…通信網。
【図１】
2005010482.tif 000003
【図２】
2005010482.tif 000004
【図３】
2005010482.tif 000005
【図４】
2005010482.tif 000006
【図５】
2005010482.tif 000007
【図６】
2005010482.tif 000008
【図７】
2005010482.tif 000009
【図８】
2005010482.tif 000010
【図９】
2005010482.tif 000011
【図１０】
2005010482.tif 000012
【図１１】
2005010482.tif 000013
【図１２】
2005010482.tif 000014
【図１３】
2005010482.tif 000015
【図１４】
2005010482.tif 000016